(57)【要約】【課題】大量生産を可能として安価に製造できるにもかかわらず、高級感に富み、さらに長期にわたって装飾層の傷付きを防止できて耐久性に優れる化粧用具を提供する。構成部品の分別の必要性をなくして廃棄コストを低減できる化粧用具を提供する。【解決手段】プラスチック材で射出成形されるホルダー２と、ホルダー２の少なくとも一端に設けた保持部３に装着される塗布体１とを備えている。ホルダー２の外表面を、金属蒸着膜や塗装被膜で形成される装飾層６で覆い、その外面に、透明な紫外線硬化塗料からなる保護層７を形成する。【選択図】図１
0003131228.tif 000002
【実用新案登録請求の範囲】
【請求項１】
プラスチック材で射出成形されるホルダー（２）と、ホルダー（２）の少なくとも一端に設けた保持部（３）に装着される塗布体（１）とを備えており、
ホルダー（２）の外表面が、金属蒸着膜や塗装被膜で形成された装飾層（６）で覆われ、その外面に、透明な紫外線硬化塗料からなる保護層（７）が形成されていることを特徴とする化粧用具。
【請求項２】
透明プラスチック材で中空筒状に射出成形されるホルダー（２）と、ホルダー（２）の少なくとも一端に設けた保持部（３）に装着される塗布体（１）とを備えており、
ホルダー（２）の筒内壁（２ａ）に、金属蒸着膜や塗装被膜からなる装飾層（６）が形成されていることを特徴とする化粧用具。
【請求項３】
透明プラスチック材で中空筒状に射出成形されるホルダー（２）と、ホルダー（２）の少なくとも一端に設けた保持部（３）に装着される塗布体（１）とを備えており、
ホルダー（２）の筒内壁（２ａ）に、外面側に装飾層（６）を備えた装飾シート（９）が丸めた状態で装填されていることを特徴とする化粧用具。
【請求項４】
ホルダー（２）の外面に、透明な紫外線硬化塗料からなる保護層（７）が形成されている請求項２または３記載の化粧用具。
【考案の詳細な説明】
【技術分野】
【０００１】
本考案は、アイシャドウブラシ、チークブラシ、リップブラシ、アイライナーブラシ、アイシャドウチップなどの化粧用具のうち、とくに、比較的小型に形成されて、コンパクトの内部に収容される付属品として好適に使用できる化粧用具に関する。
【背景技術】
【０００２】
この種の化粧用具は、主として獣毛を素材とするブラシ穂や、主として合成樹脂を素材とするチップなどの塗布体と、金属製のホルダーとで構成されている。この金属には、加工性や耐食性に優れ、金属の中では比較的軽量であるなどの理由から、アルミニウムが多く使用されている。また、ホルダーの表面は光沢メッキ処理を施して仕上げてあり、必要に応じて化粧用具の型式番号や商品名などが、オフセット印刷法などによって印刷してある。
【０００３】
本考案では、化粧用具を低コスト化し、さらに化粧用具を廃棄するときの分別の手間を省くために、塗布体、ホルダーの両者を、分別の必要がないプラスチック材で形成する。このように化粧用具の構成部品の全てをプラスチック材で形成することは、特許文献１、および特許文献２に公知である。特許文献１では、合成樹脂などで成形されるホルダーの一端に、合成樹脂繊維で構成されるブラシ穂が装着されている。特許文献２では、熱収縮性プラスチックフィルムからなる筒状のホルダーの内部に、棒状に成形した発泡合成樹脂のスポンジ材を挿通させ、この状態でホルダーを加熱して収縮させることで、ホルダーの両端から、塗布体となるスポンジ材が突出した化粧用具を作製している。また、特許文献３のブラシ軸は、透明プラスチック製の外筒と、外筒内に嵌め込まれるプラスチック製の芯材とで構成されている。このブラシ軸によれば、透明な外筒のレンズ効果によって、芯材の表面に形成された色彩模様を立体的に視認できる。
【０００４】
【特許文献１】実願昭６２−１２５９７３号のマイクロフィルム（第４頁、第１図）
【特許文献２】実公昭５８−１１２９６号公報（第１頁右欄第１６〜３３行、第１図）
【特許文献３】特開２００５−１７６８６３号公報（段落番号００２３〜００２４、図２）
【考案の開示】
【考案が解決しようとする課題】
【０００５】
アルミニウムを素材とするホルダーによれば、高級感に富む化粧用具が得られる。しかし、アルミニウムの需要は近年世界的に増加しており、その価格は急騰している。また、プラスチック材料を素材としてホルダーを射出成形する場合に比べると、加工コストが高く付くことを避けられない。さらに、化粧用具を廃棄するときは、可燃物である塗布体と、不燃物であるホルダーとに分別する必要があり、両者を分離するのに手間が掛かる。
【０００６】
この点、ホルダーがプラスチック材で形成された特許文献１、２の化粧用具は、大量生産が可能であるため製造コストが格段に少なくて済む。また、再利用するプラスチック材が使用されていない限り、全体を可燃物として廃棄できる。
【０００７】
問題は、プラスチック成形されたホルダーを高級な感じに仕上げるのが難しいことにある。例えば、ホルダーにめっき処理を施して、金属光沢を発揮させることは不可能ではないが、めっき層が僅かでも傷付き、あるいは剥離すると高級感が一挙に損なわれてしまい、耐久性に問題がある。
【０００８】
本考案の目的は、大量生産を可能として安価に製造できるにもかかわらず、高級感に富み、さらに長期にわたって装飾層の傷付きを防止できて耐久性に優れる化粧用具を提供することにある。本考案の目的は、構成部品の分別の必要性をなくして廃棄コストを低減できる化粧用具を提供することにある。
【課題を解決するための手段】
【０００９】
本考案の化粧用具は、プラスチック材で射出成形されるホルダー２と、ホルダー２の少なくとも一端に設けた保持部３に装着される塗布体１とを備えている。ホルダー２の外表面が、金属蒸着膜や塗装被膜で形成された装飾層６で覆われ、その外面に、透明な紫外線硬化塗料からなる保護層７が形成されていることを特徴とする。
【００１０】
別の本考案に係る化粧用具は、透明プラスチック材で中空筒状に射出成形されるホルダー２と、ホルダー２の少なくとも一端に設けた保持部３に装着される塗布体１とを備えている。ホルダー２の筒内壁２ａに、金属蒸着膜や塗装被膜からなる装飾層６が形成されていることを特徴とする。
【００１１】
更に別の本考案に係る化粧用具は、透明プラスチック材で中空筒状に射出成形されるホルダー２と、ホルダー２の少なくとも一端に設けた保持部３に装着される塗布体１とを備えている。ホルダー２の筒内壁２ａに、外面側に装飾層６を備えた装飾シート９が丸めた状態で装填されていることを特徴とする。
【００１２】
ホルダー２の筒内壁２ａに装飾層６が配されている場合にも、ホルダー２の外面に、透明な紫外線硬化塗料からなる保護層７を形成することが好ましい。
【考案の効果】
【００１３】
本考案においては、ホルダー２がプラスチック材で射出成形されているので、ホルダー２を量産して化粧用具の製造に要する全体コストを削減化できるとともに、塗布体１とホルダー２を分別する必要もなく、化粧用具の全体を可燃物として廃棄できる。装飾層６が金属蒸着膜や塗装被膜で形成されているので、装飾がめっき層で形成してある場合に比べて着色のバリエーションを増加させて、印象が異なるシリーズ商品化された化粧用具を簡単に構成できる。装飾層６の外面に、透明な紫外線硬化塗料からなる保護層７が形成されているので、長期にわたって装飾層６の傷付きを防止できて耐久性に優れるとともに、光沢感に富む化粧用具が得られる。
【００１４】
ホルダー２が透明プラスチック材で成形され、ホルダー２の筒内壁２ａに、金属蒸着膜や塗装被膜からなる装飾層６が形成されている化粧用具によれば、透明なホルダー２の肉壁を介して、筒内壁２ａに形成された装飾層６が視認されるので、ホルダー２を単に塗装仕上げした従来の化粧用具に比べて、見かけ上の色や模様などの深みを増して高級感を醸し出すことができる。さらに、ホルダー２の光屈折作用によって装飾層６の見え方が多様に変化するので、全体として高級感に富む化粧用具が得られる。しかも、長期にわたって装飾層６の傷付きを防止して、化粧用具の耐久性を向上させることができる。
【００１５】
ホルダー２が透明プラスチック材で成形され、ホルダー２の筒内壁２ａに、外面側に装飾層６を備えた装飾シート９が丸めた状態で装填されている化粧用具によれば、色や模様が異なる数種類の装飾シート９を予め用意しておくことにより、装填する装飾シート９を変更するだけで、見かけの印象が異なるホルダー２を形成できる。したがって、ホルダー２の色、模様などを多様化できるにもかかわらず、化粧用具の製造コストを削減化できる。
【００１６】
ホルダー２の筒内壁２ａに装飾層６が配されている場合にも、ホルダー２の外面に、透明な紫外線硬化塗料からなる保護層７を形成していると、ホルダー２に擦り傷や衝突傷などを生じ難く、光沢感に富む化粧ブラシが得られる。
【考案を実施するための最良の形態】
【００１７】
（実施例１）  図１および図２は本考案に係る化粧用具の実施例１を示す。化粧用具は、図２に示すように、コンパクトＣの内部に収容される付属品としてのチークブラシであって、塗布体としてのブラシ穂１と、ブラシの把持部となるホルダー２とを備えている。ホルダー２は、下端にブラシ穂１用の保持部３を有しており、ブラシ穂１の基端部が、保持部３に内嵌装着される。保持部３は、ブラシ穂１の仕上がり形状に応じて円形、楕円形、および長円形などに形成される。
【００１８】
ブラシ穂１は、山羊やリスなどの獣毛からなる単毛１ａ、あるいは化学繊維からなる単毛１ａを密に束ねて形成する。化学繊維からなる単毛１ａは、その一端にテーパー加工を施して、獣毛を模した先細状の繊維を使用する。詳しくは、獣毛と同程度の細さのポリブチレンテレフタレート繊維を所定長さに切断して前段繊維を形成し、前段繊維の一端を硫酸や苛性ソーダなどの侵食性薬品に浸漬してテーパー状に溶融することにより、先細状の毛先部１ｂを備えた単毛１ａを作製する。
【００１９】
ホルダー２は、強化スチロール樹脂、ＡＢＳ樹脂、ＡＳ樹脂、ポリカーボネイト、アセタール樹脂などを素材にして射出成形する。ホルダー２の断面は、円の対向縁を平行に押し潰した長円形状を呈しており、ホルダー２の外表面には、化粧用具の型式番号や商品名などの表示５が凹部、あるいは突起として形成される。また、図１に示すように、ホルダー２の外表面の全体が、金属蒸着膜で形成された装飾層６で覆われ、その外面に、透明な紫外線硬化塗料からなる保護層７が形成されている。
【００２０】
上記構成の化粧用具によれば、ホルダー２がプラスチック材で射出成形されているので、ホルダー２を量産して化粧用具の製造に要する全体コストを削減化できるとともに、塗布体１とホルダー２を分別する必要もなく、化粧用具の全体を可燃物として廃棄できる。装飾層６が金属蒸着膜で形成されているので、装飾がめっき層で形成してある場合に比べて着色のバリエーションを増加させて、印象が異なるシリーズ商品化された化粧用具を簡単に構成できる。金属蒸着膜は耐剥離性にも優れているので、ホルダー２の装飾を長期にわたって維持できる。装飾層６の外面に、透明な紫外線硬化塗料からなる保護層７が形成されているので、長期にわたって装飾層６の傷付きを防止できて耐久性に優れるとともに、光沢感に富む化粧用具が得られる。
【００２１】
（実施例２）  図３は、本考案をアイシャドウチップに適用した実施例２を示す。ここでの塗布体は、大小のチップ１・１で構成した。各チップ１・１は、ポリウレタン等のプラスチックを発泡させて卵形に成形される。ホルダー２は、透明プラスチック材で射出成形されており、断面円形の中空筒状を呈している。ホルダー２の両端は開口しており、各開口部に、チップ１・１がそれぞれ装着されている。
【００２２】
本実施例では、ホルダー２の筒内壁２ａに金属蒸着膜を形成して装飾層６とした。また、ホルダー２の外表面に透明の紫外線硬化塗料を塗布して、保護層７を形成した。
【００２３】
上記のように、ホルダー２を透明プラスチック材で成形し、ホルダー２の筒内壁２ａに、金属蒸着膜からなる装飾層６を形成すると、透明なホルダー２の肉壁を介して、筒内壁２ａに形成された金属光沢状の装飾層６が視認されるので、ホルダー２の外表面を単に塗装仕上げした従来の化粧用具に比べて、見かけ上の色や模様などの深みを増して高級感を醸し出すことができる。さらに、ホルダー２の光屈折作用や、装飾層６の光反射作用の変化によって装飾層６の見え方が多様に変化するので、全体として高級感に富む化粧用具が得られる。強い外力を受けてホルダー２の表面の保護層７が傷付けられたとしても、筒内壁２ａに形成した装飾層６は周囲の肉壁で保護されるので傷付くことはなく、金属光沢状の光輝作用を長期にわたって安定して発揮できる。その他の構成および作用効果は、実施例１と実質的に同一であるので、同一部材には同一符号を付してその説明を省略する。
【００２４】
（実施例３）  図４および図５は、本考案に係る化粧用具の実施例３を示す。ここでは、透明プラスチック材で射出成形されるホルダー２の筒内に装飾シート９を配置して、その外面側に形成した金属蒸着膜からなる装飾層６を、ホルダー２を介して視認できるようにした。装飾シート９は、弾性に富むプラスチックシートからなり、ホルダー２の筒内に丸めた状態で装填されて、自己の弾性で筒内壁２ａに密着している。
【００２５】
上記のように、ホルダー２とは別体の装飾シート９に装飾層６を形成する場合には、色や模様が異なる装飾シート９を予め用意しておくことにより、ホルダー２の筒内に装填される装飾シート９を変更するだけで、見かけの印象が異なるホルダー２を安価に形成できる。その他の構成および作用効果は、実施例１と実質的に同一であるので、同一部材には同一符号を付してその説明を省略する。
【００２６】
上記の各実施例では、装飾層６を金属蒸着層で形成したがその必要はなく、塗装被膜で装飾層６を形成してもよい。塗装被膜は、着色塗料や蛍光塗料などをホルダー２の外面や筒内壁２ａに塗布して形成できる。ホルダー２を中空状に形成する場合には、その筒内壁２ａの断面形状を多角形や楕円形などで形成して、ホルダー２における光の屈折作用を多様化することができる。さらに、筒内壁２ａの全面、あるいは一部にローレット溝状の凹凸群を形成して、光の屈折作用をさらに複雑化することができる。
【図面の簡単な説明】
【００２７】
【図１】実施例１の化粧用具の縦断正面図である。
【図２】実施例１の化粧用具の外観斜視図である。
【図３】実施例２の化粧用具の縦断正面図である。
【図４】実施例３の化粧用具の一部を破断した分解正面図である。
【図５】実施例３の化粧用具のホルダーの断面図である。
【符号の説明】
【００２８】
１  ブラシ穂・チップ（塗布体）
２  ホルダー
２ａ  ホルダーの筒内壁
３  保持部
６  装飾層
７  保護層
９  装飾シート
【図１】
0003131228.tif 000003
【図２】
0003131228.tif 000004
【図３】
0003131228.tif 000005
【図４】
0003131228.tif 000006
【図５】
0003131228.tif 000007